(57)【要約】      （修正有）【課題】簡単な構成で、短時間に誤りビットを測定できる無線通信装置および無線通信装置の誤りビット数検出方法を提供する。【解決手段】復調部を有する受信部と復調部の出力信号が供給される誤りビット測定部とを有する無線通信装置であって、復調部は、誤りビット測定用パターン信号を出力し、誤りビット測定部は、復調部から出力される誤りビット測定用パターン信号を記憶する第１のバッファと、第１のバッファに記憶された誤りビット測定用パターン信号の先頭Ｎビットを初期値とする符号生成部と、符号生成部の出力信号を記憶する第２のバッファと、第１のバッファに記憶されている誤りビット測定用パターン信号と第２のバッファに記憶されているデータをＸＯＲ演算するＸＯＲ演算部およびＸＯＲ演算部の出力をカウントするカウンタ部から構成。【選択図】  図１
2006295354.tif 000002
【特許請求の範囲】
【請求項１】
少なくとも復調部を有する受信部と上記復調部の出力信号が適宜供給される誤りビット測定部とを有する無線通信装置であって、上記復調部は、誤りビット測定用パターン信号を出力し、上記誤りビット測定部は、上記復調部から出力される誤りビット測定用パターン信号を記憶する第１のバッファと、上記第１のバッファに記憶された誤りビット測定用パターン信号の先頭Ｎビット（Ｎ：正の整数）を初期値とする符号生成部と、上記符号生成部の出力信号を記憶する第２のバッファと、上記第１のバッファに記憶されている誤りビット測定用パターン信号と上記第２のバッファに記憶されているデータをＸＯＲ演算するＸＯＲ演算部および上記ＸＯＲ演算部の出力をカウントするカウンタ部から構成されていることを特徴とする無線通信装置。
【請求項２】
請求項１記載の無線通信装置において、上記誤りビット測定用パターン信号は、ＰＮ（９、５）符号データであり、上記第１のバッファに記憶された誤りビット測定用パターン信号の先頭Ｎビット（Ｎ：正の整数）を初期値とする符号生成部は、上記第１のバッファに記憶されたＰＮ（９、５）符号データの先頭９ビットを初期値とするＰＮ（９、５）符号生成部で構成されていることを特徴とする無線通信装置。
【請求項３】
少なくとも復調部を有する受信部と上記復調部の出力信号が適宜供給される誤りビット測定部とを有する無線通信装置において、上記復調部から出力される誤りビット測定用パターン信号を記憶し、上記誤りビット測定用パターン信号の先頭Ｎビット（Ｎ：正の整数）を初期値とする符号生成部の出力信号を記憶し、上記復調部から出力されるＢＥＲ測定用パターン信号と上記符号生成部の出力信号とのＸＯＲ演算処理を行い、上記ＸＯＲ演算処理結果をカウントすることにより誤りビット数を検出することを特徴とする無線通信装置の誤りビット数検出方法。
【発明の詳細な説明】
【技術分野】
【０００１】
本発明は、無線通信装置および無線通信装置の誤りビット数検出方法に関し、特に、短時間で誤りビット数を検出できる無線通信装置および無線通信装置の誤りビット数検出方法に関するものである。
【背景技術】
【０００２】
情報通信用無線装置には、種々の目的に使用される無線通信装置が実用化されている。例えば、災害現場で用いられる無線通信装置、各種工事現場で使用される無線通信装置、あるいは、番組取材で用いられる放送用無線通信装置等が実用化されている。そして、これらの無線通信装置は、常に最適な動作状態で動作するように無線通信装置の保守点検が行われるのが普通である。
【０００３】
また、無線伝送、特に移動通信においては、その電波伝搬環境の変動は大きく、雑音やひずみの影響を大きく受け、受信したデータに誤りが発生する可能性が大きいため、一般には誤り訂正符号化が適用される。誤り訂正符号化は、送信側で伝送を行う情報系列を誤り訂正可能な形に符号化し、符号系列として通信路を通して伝搬し、受信側では伝送された符号系列から誤り訂正復号化を行って伝送誤りを訂正し、できる限り送信した情報系列と同じ情報系列を出力できるようにするものである。さて、このような無線通信装置では、伝送路の状況や無線通信装置の受信状態を把握するために誤りビット数やビット誤り率（ＢＥＲ：Bit Error Rate）を測定する必要がある。
【０００４】
このビット誤り率（ＢＥＲ：Bit Error Rate）を測定するための方法について図７および図８を用いて説明する。図７は、無線通信装置の外部にＢＥＲ測定装置を接続してＢＥＲを測定する場合を示している。図７において、７０１は、無線通信装置の受信部を示し、この受信部７０１は、高周波部７０２および復調部７０３で構成されている。なお、無線通信装置の受信部７０１として必要な信号処理部や制御部等は省略してある。また、７０４は、ＢＥＲ測定装置であり、このＢＥＲ測定装置は、誤りビット数検出部７０５および誤り率演算部７０６で構成されている。以下これらの動作を説明する。受信部７０１の復調部７０３から復調データをＢＥＲ測定装置７０４に取り込み、誤りビット数検出部７０５で誤りビット数をカウントし、誤り率演算部７０６でビット誤り率(ＢＥＲ)を算出する。このような方法では、無線通信装置のＢＥＲを測定するためには、ＢＥＲ測定装置７０４を準備する必要があり、また、ＢＥＲを測定するためには、復調部７０３から復調データのクロックとＢＥＲ測定装置７０４の動作クロックを合せる必要がある。従って、無線通信装置のＢＥＲを測定するための手数がかかるという問題があり、携帯用の無線通信装置や車載等の移動通信装置では、ＢＥＲの測定が簡単に行えないと言う問題がある。
【０００５】
次に誤りビット数検出部７０５の詳細について図８を用いて説明する。入力端子８０１は、復調部７０３から復調された復調データが入力される端子であり、出力端子８０２は、誤りビット数検出部７０５の出力端子であり、誤りビット数が誤り率演算部７０６に入力される。なお、ここで使用するＰＮ符号としては、例えば、ＰＮ（９、５）符号を用いて説明する。なお、ＰＮ符号については、後述する。
【０００６】
図８において、８０３は、シリアル／パラレルデータ変換部、８０４は、受信データバッファ、８０５は、ＸＯＲ演算部、８０６は、メモリ部である。８０７は、誤りビット数カウント部、８０８は、同期／非同期制御部である。この動作について図９に示すフローチャートを用いて説明する。入力端子８０１から入力されるシリアルなＮビットの復調データは、シリアル／パラレルデータ変換部８０４でパラレルデータに変換され、Ｎビットの受信データが受信データバッファ８０４に格納される。ここで、Ｎは、1フレームのデータビット数を示す。また、復調データは、ＰＮ（９、５）符号データの場合、５１１ビットで一回りするので、メモリ部８０６には、５１１ビットのＰＮ（９、５）符号データをデータテーブルとして前もって記憶しておく。
【０００７】
而して、誤りビット数を測定するには、入力端子８０１に供給される復調データのＰＮ（９、５）符号データと、メモリ部８０６に記憶されている５１１ビットのＰＮ（９、５）符号データを比較する必要があるが、そのためには、メモリ部８０６に記憶されている５１１ビットのＰＮ（９、５）符号データと入力端子８０１に供給される復調データのＰＮ（９、５）符号データとを同期させる必要がある。従って、図９に示すステップ９０１で同期の有無を判定する。非同期の場合には、ステップ９０２に進み、同期の場合には、ステップ９０５に進む。
【０００８】
ステップ９０２では、受信データとメモリ部８０６に記憶されている５１１ビットのＰＮ（９、５）符号データを照合し、ステップ９０３に進む。即ち、照合の結果、非同期の場合、照合位置を、例えば、１ビットずつ、ずらし、受信データとメモリ部８０６に記憶されている５１１ビットのＰＮ（９、５）符号データを比較し、受信データとメモリ部８０６に記憶されている５１１ビットのＰＮ（９、５）符号データが一致する場所を検索し、同期する位置を検出する。
【０００９】
ステップ９０３では、ステップ９０２での照合の結果、同期した位置が検出されると、ステップ９０４で、メモリ部８０６のデータテーブルのデータの読出し位置を決定する。その後は、ステップ９０１に戻り、以上の動作が繰返される。
【００１０】
ステップ９０５では、受信データとメモリ部８０６に記憶されている５１１ビットのＰＮ（９、５）符号データが同期しているので、同期している位置から、メモリ部８０６のテーブルデータをＮビット読み出し、ＸＯＲ演算部８０５で、受信データバッファ８０４のデータとのＸＯＲ演算処理を行い、その出力を誤りビット数カウント部８０７に入力する（ステップ９０７）。なお、テーブルデータの終わりになったら先頭から読み出す。
【００１１】
ステップ９０７では、誤りビット数が所定の閾値か否かを判定し、所定の閾値より大きい場合は、非同期状態（ステップ９０８）と判断し、ステップ９０１に戻る。また、誤りビット数が所定の閾値より小さい場合は、同期状態（ステップ９０９）と判断する。この場合は、誤りビット数は、出力端子８０２から誤り率演算部７０６に供給される。なお、同期／非同期制御部８０８は、１フレームのエラービット数が連続して設定していた所定の閾値内か否かを判断し、図９に示す動作を実行する制御を行う。
【００１２】
また、誤り率を推定するための誤り率推定方法及び誤り率推定装置（例えば、特許文献１参照）が知られている。
【００１３】
【特許文献１】特開２００３−３３３０１８号公報
【発明の開示】
【発明が解決しようとする課題】
【００１４】
上述した従来の方法では、無線通信装置の誤りビット数またはＢＥＲ（これらを総称して誤りビットと称する。）を測定するためには、誤りビット測定装置を無線通信装置と別個に準備する必要があり、携帯用の無線通信装置や車載等の移動通信装置では、誤りビットの測定が簡単に行えないと言う問題がある。また、ＰＮ符号全ての値をメモリで用意する必要があり、また、受信データとＰＮ符号テーブルデータが一致するまで検索するので、ＰＮ段数の増加に伴ない、同期するまで多大な時間を必要とする。更に、処理を早めるには、高速の処理装置が必要となるため、消費電流増加や高価格になる等の問題がある。
【００１５】
本発明の目的は、簡単に誤りビットを測定できる無線通信装置および無線通信装置の誤りビット数検出方法を提供することである。
【００１６】
本発明の他の目的は、簡単な構成で、短時間に誤りビットを測定できる無線通信装置および無線通信装置の誤りビット数検出方法を提供することである。
【００１７】
本発明の更に他の目的は、安価に誤りビットを測定できる無線通信装置および無線通信装置の誤りビット数検出方法を提供することである。
【課題を解決するための手段】
【００１８】
本発明は、少なくとも復調部を有する受信部と上記復調部の出力信号が適宜供給される誤りビット測定部とを有する無線通信装置であって、上記復調部は、誤りビット測定用パターン信号を出力し、上記誤りビット測定部は、上記復調部から出力される誤りビット測定用パターン信号を記憶する第１のバッファと、上記第１のバッファに記憶された誤りビット測定用パターン信号の先頭Ｎビット（Ｎ：正の整数）を初期値とする符号生成部と、上記符号生成部の出力信号を記憶する第２のバッファと、上記第１のバッファに記憶されている誤りビット測定用パターン信号と上記第２のバッファに記憶されているデータをＸＯＲ演算するＸＯＲ演算部および上記ＸＯＲ演算部の出力をカウントするカウンタ部から構成されている。
【００１９】
また、本発明の無線通信装置において、上記ＢＥＲ測定用パターン信号は、ＰＮ（９、５）符号データであり、上記第１のバッファに記憶されたＢＥＲ測定用パターン信号の先頭Ｎビット（Ｎ：正の整数）を初期値とする符号生成部は、上記第１のバッファに記憶されたＰＮ（９、５）符号データの先頭９ビットを初期値とするＰＮ（９、５）符号生成部で構成されている。
【００２０】
また、本発明の無線通信装置において、カウンタ部の出力が所定の閾値以上の場合、上記符号生成部の初期値を設定または更新するように構成される。
【００２１】
また、本発明の無線通信装置において、更に、表示部を有し、上記カウンタ部の出力を上記表示部に表示する。
【００２２】
更に、本発明は、少なくとも復調部を有する受信部と上記復調部の出力信号が適宜供給される誤りビット測定部とを有する無線通信装置において、上記復調部から出力される誤りビット測定用パターン信号を記憶し、上記誤りビット測定用パターン信号の先頭Ｎビット（Ｎ：正の整数）を初期値とする符号生成部の出力信号を記憶し、上記復調部から出力される誤りビット測定用パターン信号と上記符号生成部の出力信号とのＸＯＲ演算処理を行い、上記ＸＯＲ演算処理結果をカウントすることにより誤りビット数を検出するように構成される。
【００２３】
また、本発明の無線通信装置の誤りビット数検出方法において、上記誤りビット測定用パターン信号は、ＰＮ（９、５）符号データであり、上記誤りビット測定用パターン信号の先頭Ｎビット（Ｎ：正の整数）を初期値とする符号生成部の出力信号は、ＰＮ（９、５）符号データの先頭９ビットを初期値とするＰＮ（９、５）符号生成部の出力信号である。
【００２４】
また、本発明の無線通信装置の誤りビット数検出方法において、上記ＸＯＲ演算処理結果のカウント値が、所定の閾値以上の場合、上記符号生成部の初期値を設定または更新するように構成される。
【発明の効果】
【００２５】
以上説明したように本発明によれば、無線通信装置にＢＥＲ測定部を内蔵することができるので、携帯用の無線通信装置や車載等の移動通信装置でも簡単に誤りビットの測定ができる特徴がある。また、ＰＮ符号全ての値をメモリで用意する必要がなく、メモリ量の低減が可能となる。また、テーブルデータと照合する必要がないので短時間で同期することが可能となり、誤りビット測定が短時間で行え、消費電力の低減にも役立つ等の効果がある。
【発明を実施するための最良の形態】
【００２６】
まず、本発明の誤りビットの測定方法について説明する。無線通信システムでは、基地局（または親局とも言う。）と複数の移動局との間で、所定の無線キャリアを用いて通信が行われている。通信方法としては、１つの無線キャリアを用いる単信無線通信方式や２周波以上の無線キャリアを用いる複信無線通信方式等が知られている。図４は、この無線通信システムの基地局４０１を示している。この基地局４０１は、送信用無線機４０２と受信用無線機４０３で構成されている。また、基地局４０１の通信エリア内には、複数の移動局（以下無線通信装置と言う。）が位置し、基地局４０１の送信用無線機４０２と受信用無線機４０３と、無線通信装置との間で情報信号の送受信が行われている。例えば、図５は、基地局４０１の送信用無線機４０２から無線通信装置の受信部に情報信号を送信する場合の下り信号のフォーマットを示している。この信号フォーマットは、ＡＲＩＢ−ＳＴＤ−Ｔ７９で定められている。図５において、信号フォーマットは、３２０ビットで構成され、Ｒは、バースト過渡応答用ガード時間、Ｐは、プリアンブル、ＴＣＨは、トラヒックチャネル、ＳＷは、同期ワード、ＣＩは、キャリア情報、ＣＣは、カラーコード、ＦＡＣＣＨは、高速付随制御チャネル、ＳＡＣＣＨは、低速付随制御チャネルおよびＢ／Ｉは、ビジー／アイドルビットを表している。なお、図５の各数値は、ビット数を示している。
【００２７】
而して、無線通信装置の誤りビットを測定する場合、初めに、基地局４０１の送信用無線機４０２から誤りビットを測定する無線通信装置にＰＮ符号を送信する。このＰＮ符号の送信は、図５に示す信号フォーマットの、例えば、ＴＣＨ（トラフィックチャネル）に挿入して送信される。ここで、ＰＮ符号生成方法について説明する。図３は、ＡＲＩＢ−ＳＴＤ−Ｔ７９で定められているＰＮ（９、５）符号生成部の構成を示している。ここでは、ＰＮ（９、５）符号生成部について説明するが、本発明は、ＰＮ（９、５）符号生成部に限定されるものではない。
【００２８】
図３に示すＰＮ（９、５）符号生成部おいて、３０１は、１段目シフトレジスタ、３０２は、２段目シフトレジスタ、３０３は、３段目シフトレジスタと言うように、各段がシフトレジスタで構成され、最終段は、９段目シフトレジスタである。そして、５段目シフトレジスタ３０５の出力と９段目シフトレジスタ３０９の出力がＸＯＲ演算部３１０でＸＯＲ演算処理され、演算処理結果が１段目シフトレジスタ３０１の入力値となる。このＰＮ（９、５）符号生成部は、１タイミング毎（シフトレジスタの１クロク周期毎）に右へビットデータがシフトされ、９段目シフトレジスタ３０９の出力がＰＮ（９、５）符号データとして出力端子３１１から出力される。このＰＮ（９、５）符号データは、２９−１、即ち、５１１ビット周期で同じパターンが出力される。従って、このＰＮ（９、５）符号データが、基地局４０１の送信用無線機４０２から無線通信装置に送信される。なお、このＰＮ（９、５）符号生成部は、基地局４０１では、例えば、中央処理装置（図示せず。）に設けられている。
【００２９】
次に、本発明の一実施例を図１、図２および図６を用いて説明する。図１は、例えば、プレストーク方式の無線通信装置を示している。このプレストーク方式の無線通信装置は、一つの周波数で、送信（話をする）側と受信（話を聞く）側に分けて通話を行う。先ず、操作部１１５を操作し（例えば、プレストークスイッチを押す。）、制御部１１２を動作させ、送信状態とすると、送信状態となった無線通信装置は、マイク１１６から入力される音声信号に、送信信号処理部１１７で送信のための所定の信号処理を施した後、送信部１１８に入力される。送信部１１８に入力された信号は、変調部１１９で所定の変調がなされ、送信ミキサ１２０で所定の送信周波数に変換され、送信電力増幅部１２１で増幅され、切替スイッチ１０２を介してアンテナ１０１から空中へ電波として出力され、基地局４０１の受信用無線機４０３へ送信される。
【００３０】
一方、操作部１１５を操作して切替スイッチ１０２を切替え、制御部１１２を動作させ、受信機として動作させると、例えば、基地局４０１の送信用無線機４０２から送信される信号は、アンテナ１０１で受信され、切替スイッチ１０２を介して受信部１０３に入力される。受信部１０３に入力された信号は、高周波増幅部１０４で増幅され、受信ミキサ１０５で中間周波数に変換され、更に、ＩＦ増幅部１０６で中間周波増幅され、復調部１０７で復調され、切替スイッチ１０８に供給される。切替スイッチ１０８は、制御部１１２の制御により、復調部１０７から音声信号やデータを受信している場合は、切替スイッチ１０８の出力は、受信信号処理部１０９に供給され、所定の信号処理がなされ、スピーカ１１０から音声信号を出力する。また、データの場合には、表示部１１４にデータが表示される。
【００３１】
しかしながら、無線通信装置の誤りビットを検出する場合、操作部１１５を操作して制御部１１２を動作させ、切替スイッチ１０８を切換え、復調部１０７の出力を誤りビット測定部１１３に供給する。なお、１１１は、周波数シンセサイザである。
【００３２】
次に、本発明の動作について説明する。この無線通信装置は、通常時の通信動作においては、上述したように操作部１１５を操作して制御部１１２を動作させ、切替スイッチ１０２を切換えることによって上述した送信、受信の動作を行う。一方、無線通信装置の誤りビットを検出する場合、基地局４０１の送信用無線機４０２は、前述したように図３で説明したＰＮ（９、５）符号生成部において生成されたＰＮ（９、５）符号データが無線通信装置に送信される。従って、このＰＮ（９、５）符号データを受信した無線通信装置は、復調部１０７の出力を切替スイッチ１０８を介して誤りビット測定部１１３に供給する。
【００３３】
図２は、誤りビット測定部１１３の一実施例の概略構成を示すブロック図である。図２において、２０１は、復調データ入力端子であり、復調部１０７からの復調データが切替スイッチ１０８を介して入力される。２０２は、シリアル／パラレルデータ変換部、２０３は、受信データバッファ（第１のバッファ）、２０４は、ＸＯＲ演算部、２０５は、ＰＮ（９、５）符号生成部、２０６は、初期化スイッチ、２０７は、ＰＮ（９、５）符号データバッファ（第２のバッファ）、２０８は、誤りビット数カウント部、２０９は、同期／非同期制御部、２１０は、誤りビット数検出出力端子である。ここで、ＰＮ（９、５）符号生成部２０５は、例えば、図３で示すＰＮ（９、５）符号生成部で構成されているものとする。なお、本実施例では、ＰＮ（９、５）符号データを用いて説明するが、これに限定されるものではなく、ＰＮ符号あるいは前もって定められた所定のパターン、例えば、９ビットが全て“１”のようなパターン、あるいは周期的な繰返しパターンであってもよい。また、９ビットに限定されるものでもない。従って、これらを総称して誤りビット測定用パターン信号と称することにする。
【００３４】
以下、この誤りビット測定部１１３の動作について説明する。まず、復調部１０７から入力されるシリアルなＰＮ（９、５）符号データ（Ｎビットの復調データであるが、本実施例では１フレーム分のビット数となる。）をシリアル／パラレル変換部２０２でパラレルデータに変換され、Ｎビットの復調データが受信データバッファ２０３に格納される。ここで、Ｎは、１フレームのデータビット数である。そして、誤りビット数を検出するには、復調部１０７から入力される復調データ、即ち、ＰＮ（９、５）符号データと、ＰＮ（９、５）符号データバッファ２０７のＰＮ（９、５）符号データを同期させる必要がある。そのためには、初期化スイッチ２０６を操作して受信データバッファ２０３に格納されているＰＮ（９、５）符号データの先頭９ビット（一般的には、Ｎビットであり、Ｎは、正の整数である。）をＰＮ（９、５）符号生成部２０５に供給し、ＰＮ（９、５）符号生成部２０５を構成するシフトレジスタを初期化する。即ち、本実施例では、受信データバッファ２０３に格納されているＰＮ（９、５）符号データの先頭９ビットがシフトレジスタの初期値となる。その結果、ＰＮ（９、５）符号生成部２０５の出力は、ＰＮ（９、５）符号データバッファ２０７に蓄積される。この状態では、誤りビット測定部１１３は、受信データに対して同期状態となる。同期／非同期制御部２０９は、その判断をする制御部である。以下、この誤りビット測定部１１３の動作について図６を用いて説明する。
【００３５】
ステップ６０１では、初期値設定済かどうかを判断する。初期値設定がされていない場合は、ステップ６０２に進み、初期値設定済の場合は、ステップ６０３に進む。ここで、初期値設定済の場合は、同期状態を示し、初期値設定がされていない場合は、非同期状態を示している。
【００３６】
ステップ６０２では、ＰＮ（９、５）符号生成部２０５の初期値設定が行われる。即ち、誤りビット測定部１１３が同期状態でない場合、同期／非同期制御部２０９は、初期化スイッチ２０６をＯＮにする。これによって受信データバッファ２０３に格納されているＰＮ（９、５）符号データの先頭９ビットがＰＮ（９、５）符号生成部２０５に供給され、ＰＮ（９、５）符号生成部２０５を構成するシフトレジスタが初期化される。これによってＰＮ（９、５）符号生成部２０５は、ＰＮ（９、５）符号をＮビット生成し、生成されたＰＮ（９、５）符号のＮビットがＰＮ（９、５）符号データバッファ２０７に蓄積される。このようにＰＮ（９、５）符号データバッファ２０７にＰＮ（９、５）符号データの９ビットが蓄積された状態が同期状態である。
【００３７】
ステップ６０３では、受信データとＰＮ（９、５）符号データバッファのデータとがＸＯＲ演算される。即ち、受信データバッファ２０３の受信データ（Ｘ０、Ｘ１、・・・Ｘｎ−１）とＰＮ（９、５）符号データバッファ２０７のデータ（Ｐ０、Ｐ１、・・・ＰＮ−１）とがＸＯＲ演算部２０４でＸＯＲ演算される。その結果、受信データバッファ２０３の受信データとＰＮ（９、５）符号データバッファ２０７のデータとが一致しない場合、“１”が出力される。
【００３８】
ステップ６０４では、“１”となった数を誤りビット数としてカウントする。即ち、カウント部２０８において、ＸＯＲ演算部２０４から出力される“１”となったビット数を誤りビット数としてカウントする。
【００３９】
ステップ６０５では、誤りビット数が所定値以上か、所定値以下かを判定する。即ち、同期／非同期制御部２０９において、誤りビット数が所定値以上か、所定値以下かを判定する。ここで、所定値とは、誤りビット測定部１１３が同期か、非同期かを判定するための閾値Ｈ（ＢＥＲに相当する。）である。本実施例では、この閾値Ｈは、１０−１に設定されている。なお、一般には、ＢＥＲが１０−２、即ち、１００ビットに対して１ビットが誤っている程度では、音声信号の再生は、特に問題がないと言われている。なお、閾値Ｈは、システムの動作条件、通話の状況に応じて適宜設定されることは言うまでもない。
【００４０】
ステップ６０６では、非同期状態、即ち、誤りビット数＞１０−１（閾値Ｈ以上）の場合は、誤りビット測定部１１３は非同期状態と判断し、同期／非同期制御部２０９は、初期化スイッチ２０６をＯＮにする。これによって誤りビット測定部１１３は、同期状態となる。なお、電源ＯＮ時では、ＰＮ（９、５）符号生成部２０５の初期値が設定されることを意味し、計測途中においては、初期値更新を意味する。
【００４１】
ステップ６０７では、同期状態、即ち、誤りビット数≦１０−１（閾値Ｈ以下）の場合は、誤りビット測定部１１３は同期状態と判断され、カウンタ２０８の出力が出力端子２１０から出力される。
【００４２】
出力端子２１０から出力される誤りビット数は、図１に示す表示部１１４に供給され、誤りビット数が表示される。また、ＢＥＲを表示する場合には、誤りビット測定部１１３内に演算部（図示せず。）を設け、誤りビット数をＡとすると、演算部で（Ａ／測定対象ビット数）の演算をすることによりＢＥＲを算出でき、また、ＢＥＲを表示部１１４に表示することもできる。ここで、測定対象ビット数は、測定対象や測定時間によって変化するので、適宜設定される。
【００４３】
以上詳細に説明したように、本発明によれば、無線通信装置に誤りビット測定部を内蔵することができるので、携帯用の無線通信装置や車載等の移動通信装置でも簡単に誤りビットの測定ができる特徴がある。また、ＰＮ符号全ての値をメモリで用意する必要がなく、更に、テーブルデータと照合する必要がないので短時間で同期することが可能となり、誤りビット測定が短時間で行え、消費電力の低減にも役立つ等の効果がある。
【００４４】
以上、本発明について詳細に説明したが、本発明は、ここに記載された無線通信装置および無線通信装置の誤りビット数検出方法の実施例に限定されるものではなく、上記以外の無線通信装置および無線通信装置の誤りビット数検出方法に広く適応することが出来ることは、言うまでも無い。
【図面の簡単な説明】
【００４５】
【図１】本発明の一実施例の概略構成を説明するためのブロック図である。
【図２】本発明で使用する誤りビット測定部の一実施例のブロック図を示す。
【図３】本発明で使用するＰＮ（９、５）符号生成部の構成を示す図である。
【図４】本発明で使用する基地局の構成を示す図である。
【図５】本発明で使用する通信フォーマットを説明するための図である。
【図６】本発明の動作を説明するためのフローチャートである。
【図７】従来のＢＥＲの測定方法を説明するための図である。
【図８】従来のＢＥＲ測定部の一例のブロック図を示す。
【図９】図８に示すＢＥＲ測定部の動作を説明するためのフローチャートである。
【符号の説明】
【００４６】
１０１：アンテナ、１０２：切替スイッチ、１０３：受信部、１０４：高周波増幅部、１０５：受信ミキサ、１０６：ＩＦ増幅部、１０７：復調部、１０８：切替スイッチ、１０９：受信信号処理部、１１０：スピーカ、１１１：周波数シンセサイザ、１１２：制御部、１１３：誤りビット測定部、１１４：表示部、１１５：操作部、１１６：マイク、１１７：送信信号処理部、１１８：送信部、１１９：変調部、１２０：送信ミキサ、１２１：送信電力増幅部、２０１、８０１：入力端子、２０２、８０３：シリアル／パラレルデータ変換部、２０３、８０４：受信データバッファ、２０４、３１０、８０５：ＸＯＲ演算部、２０５：ＰＮ（９、５）符号生成部、２０６：初期化スイッチ、２０７：ＰＮ（９、５）符号データバッファ、２０８、８０７：誤りビット数カウント部、２０９、８０８：同期／非同期制御部、２１０、８０２：出力端子、３０１、３０２、・・・３０９：シフトレジスタ、３１１：ＰＮ（９、５）符号出力部、４０１：基地局、４０２：送信用無線機、４０３：受信用無線機、７０１：無線通信装置の受信部、７０２：高周波部、７０３：復調部、７０４：ＢＥＲ測定装置、７０５：誤りビット数検出部、７０６：誤り率演算部、８０６：メモリ部。
【図１】
2006295354.tif 000003
【図２】
2006295354.tif 000004
【図３】
2006295354.tif 000005
【図４】
2006295354.tif 000006
【図５】
2006295354.tif 000007
【図６】
2006295354.tif 000008
【図７】
2006295354.tif 000009
【図８】
2006295354.tif 000010
【図９】
2006295354.tif 000011